(57)【要約】      （修正有）【課題】マッチドベルトの組がばらけることを防止するとともに、プーリへの取り付けを容易にする。【解決手段】幅裁ちにおいて、隣り合わせとなる歯付ベルト１１Ａ、１１Ｂを１組のマッチドベルトとし、歯付ベルト１１Ａ、１１Ｂを他の組となるマッチドベルトから完全に分離する。歯付ベルト１１Ａ、１１Ｂにベルト背面側から切り込みＣを入れる。歯部１４の先端部を残して、背ゴム層、歯ゴム層にまで切り込みＣを入れる。マッチドベルトとしての組をなす歯付ベルト１１Ａ、１１Ｂを歯部先端近傍で部分的に連結されたまま使用する。【選択図】図２
0003132799.tif 000002
【実用新案登録請求の範囲】
【請求項１】
幅裁ちにより複数の歯付ベルトに分割され、幅裁ち時に隣り合わせとなる歯付ベルトを１組として使用するマッチドベルトであって、前記複数の歯付ベルトが相互に部分的に連結された状態で互いに切断されていることを特徴とするマッチドベルト。
【請求項２】
前記複数の歯付ベルトが、ベルト歯の先端において相互に連結されたことを特徴とする請求項１に記載のマッチドベルト。
【請求項３】
前記ベルト歯の表面が歯布によって被覆され、前記複数の歯付ベルトが前記歯布のみを残して切断されていることを特徴とする請求項２に記載のマッチドベルト。
【請求項４】
前記複数の歯付ベルトが、ベルト背面において少なくとも部分的に相互に連結されて切断されていることを特徴とする請求項１に記載のマッチドベルト。
【考案の詳細な説明】
【技術分野】
【０００１】
本考案は、ベルト幅裁ちにおいて隣り合うベルト同士を一組として使用するマッチドベルトに関する。
【背景技術】
【０００２】
歯付ベルトを用いたベルト伝動において、伝動容量を維持しながら、ベルト運転時の騒音や振動の低減のためにベルト幅裁ち時に隣り合っていたベルト同士を一組のマッチドベルトとして用いる方法が知られている（特許文献１）。マッチドベルトでは、一本のベルトの代わりに、これをベルト長手方向に裁断し、複数のベルトとしたものを１組として用い、同等の伝動容量を維持する。
【０００３】
マッチドベルトでは、各ベルトのベルト幅が狭くなるため、ベルト歯とプーリ歯との噛み合いにおいて、歯と歯底の間に巻き込まれる空気は、ベルト幅が広い場合に比べ速やかにベルトの両側から外側へと排出される。すなわち、マッチドベルトを用いることにより、噛み合いにおける騒音の発生が低減される。
【特許文献１】特開２００１−２５４７８１号公報
【考案の開示】
【考案が解決しようとする課題】
【０００４】
しかし、マッチドベルトの使用においては、ベルト幅裁ち時に隣り合わせであった一組のベルトを用いる必要がある。しかし、組となるべきベルトがバラバラになってしまうと、同じ組のベルトを探すのは困難である。また、ベルトを１本ずつ、プーリに噛み合わせなければならないので、取り付け作業も煩雑である。
【０００５】
本考案では、マッチドベルトの組がばらけることを防止するとともに、プーリへの取り付けを容易にすることを目的としている。
【課題を解決するための手段】
【０００６】
本考案に係るマッチドベルトは、幅裁ちにより複数の歯付ベルトに分割され、幅裁ち時に隣り合わせとなる歯付ベルトを１組として使用するマッチドベルトであって、複数の歯付ベルトが相互に部分的に連結された状態で互いに切断されていることを特徴としている。
【０００７】
複数の歯付ベルトは、例えばベルト歯の先端において相互に連結されている。また、ベルト歯の表面が歯布によって被覆されているとき、複数の歯付ベルトは、例えば歯布のみを残して切断されている。
【０００８】
また複数の歯付ベルトは、例えばベルト背面において少なくとも部分的に相互に連結されて切断されている。
【考案の効果】
【０００９】
以上のように、本考案によれば、マッチドベルトの組がばらけることを防止するとともに、プーリへの取り付けを容易にすることができる。
【考案を実施するための最良の形態】
【００１０】
以下、本考案の具体的な実施形態を図面を参照しつつ説明する。
図１は、本考案の第１実施形態に係るマッチドベルトの全体構成を示す模式的な斜視図である。
【００１１】
本実施形態のマッチドベルト１０は、ベルト幅裁ちにおいて隣り合わせである一組の歯付ベルト１１Ａ、１１Ｂから構成され、隣り合わせに歯付プーリ（図示せず）に掛け回され使用される。歯付ベルト１１Ａ、１１Ｂのベルト歯１２Ａ、１２Ｂは、歯付ベルト１１Ａ、１１Ｂの内側面に沿ってベルト長手方向を横切って設けられる。図１において、ベルト歯１２Ａ、１２Ｂは、ベルト幅方向へ沿った直線として模式的に表される。
【００１２】
図２に、長手方向に沿って分割されたマッチドベルト１０の部分拡大斜視図を示す。歯付ベルト１１Ａ、１１Ｂは無端ベルトであって、ドラム状に成形された中間製品を所定の幅間隔でドラム軸に垂直な面で切断して得られる。この幅裁ちにおいて、歯付ベルト１１Ａ、１１Ｂは他の組のベルトと完全に分離される。一方、歯付ベルト１１Ａ、１１Ｂの間の裁断においては、歯付ベルト１１Ａ、１１Ｂ同士が完全に分離されないようにベルト長手方向に沿った切り込みＣがベルト背面側（ベルト歯が設けられた側の反対側）から入れられる。
【００１３】
歯付ベルト１１Ａ、１１Ｂは歯ゴム層１３を備え、歯ゴム層１３には歯部１４（分割されたベルト歯１２Ａ、１２Ｂを構成）及び歯底部１５が交互に形成される。歯ゴム層１３の外側には歯布１６が貼着され、歯部１４及び歯底部１５は歯布１６によってその表面が被覆される。また、歯付ベルト１１Ａ、１１Ｂは背ゴム層１７を備え、歯ゴム層１３と背ゴム層１７との間の境界面には、複数の心線１８がベルト長手方向に沿って埋設される。なお、図３にマッチドベルト１０の歯部１４におけるベルト長手方向に垂直な面に沿った断面図を示す。
【００１４】
図３に示されるように、切り込みＣは、ベルト背面側から、背ゴム層１７、歯ゴム層１３を通して歯部１４にまで至り、歯先近傍に達する。すなわち、第１実施形態では、切り込みＣは、ベルト背面側から図３の破線Ｌで示される位置まで入れられ、歯付ベルト１１Ａ、１１Ｂは、破線Ｌの下側の歯先部でのみ連結される。
【００１５】
また、切り込みＣは、歯ゴム層１３を完全に切断していてもよく、この場合、歯先部の歯布１６は裁断されず、歯付ベルト１１Ａ、１１Ｂは歯布１６により互いに連結される。なお、切り込みＣは少なくとも歯底部１５を越えて歯部１４内に達している必要がある。
【００１６】
以上のように、第１実施形態によれば、１組のマッチドベルトはベルト長手方向に沿って完全に分離されていないので各歯付ベルト同士がバラバラになることがなく、かつ背面側から少なくとも歯部の一部にまで切り込みが達しているので、ベルト歯がプーリ歯に噛み合うとき、歯と歯底の間に巻き込まれる空気を、切り込みを通して外側に逃がすことが出来る。
【００１７】
これにより、マッチドベルトの組がばらけることを防止し、１組のマッチドベルトを一体的にプーリへ取り付けられ、ベルトの噛み合いにおける騒音を低減できるとともに、取り付け作業の効率化を図ることができる。
【００１８】
次に、図４を参照して、本考案の第２実施形態について説明する。第２実施形態のマッチドベルトの構成は、第１実施形態のマッチドベルトと略同様であり、異なるのは切り込みの入れ方である。したがって、第１実施形態と共通の構成については、その説明を省略し、同一参照符号を用いる。
【００１９】
図４は、第２実施形態のマッチドベルト２０の図３に対応する断面図である。マッチドベルト２０において、切り込みＣ’は、歯付ベルト１１Ａ、１１Ｂの歯先側から入れられる。すなわち、歯布１６および歯ゴム層１３は切り込みＣ’によって完全に切断され、切り込みＣ’は背ゴム層１７に達してベルト背面２１近傍にまで到る。しかし、ベルト背ゴム層１７は完全に切断されず、ベルト背面２１近傍において歯付ベルト１１Ａ、１１Ｂは連結されたまま残される。すなわち、第２実施形態では、切り込みＣ’は、ベルト歯側から図４の破線Ｌ’で示される位置まで入れられ、歯付ベルト１１Ａ、１１Ｂは、破線Ｌ’の上側の背部でのみ連結される。
【００２０】
以上のように、第２実施形態のマッチドベルトにおいても第１実施形態と同様の効果を得ることができる。
【００２１】
なお、本実施形態では２本の歯付ベルトを１組としたマッチドベルトを例に説明を行ったが、マッチドベルトは３本以上を１組としたものであってもよい。
【００２２】
また、第２実施形態では、長手方向全周に渡って切り込みはベルト背面に達していなかったが、歯付ベルト同士はバラバラにならない程度に部分的に繋がれていればよく、例えば、切り込みはミシン目状にベルト背面にまで達していてもよい。
【図面の簡単な説明】
【００２３】
【図１】本考案の一実施形態であるマッチドベルトの全体の構成を示す模式的な斜視図である。
【図２】第１実施形態のマッチドベルトの長手方向に沿って分割された部分拡大斜視図である。
【図３】第１実施形態のマッチドベルトの歯部におけるベルト長手方向に垂直な面に沿った断面図である。
【図４】第２実施形態のマッチドベルトの歯部におけるベルト長手方向に垂直な面に沿った断面図である。
【符号の説明】
【００２４】
１０  マッチドベルト
１１Ａ、１１Ｂ  歯付ベルト
１２Ａ、１２Ｂ  ベルト歯
１３  歯ゴム層
１４  歯部
１５  歯底部
１６  歯布
１７  背ゴム層
１８  心線
２０  マッチドベルト
【図１】
0003132799.tif 000003
【図２】
0003132799.tif 000004
【図３】
0003132799.tif 000005
【図４】
0003132799.tif 000006